(57)【要約】【課題】　印字サイズを小さくしたり、あるいはタイムカード自体の幅を増加することなく、一日の入退場回数を制限しないで印字できるようにする。【解決手段】　制御手段４によりタイムタイムカード１に付したカード識別情報１ａの同一性を確認しつつ、印字手段３に１組の入退場毎に印字行を代えて順次出退勤情報を印字させると共に、記録手段５に記録する。印字行が一杯になったときには、新たなタイムカード１のカード識別情報１ａとして、記録手段５に記録してある出退勤情報を引き継がせる。【選択図】　　図１
2004110794.tif 000002
【特許請求の範囲】
【請求項１】
カード識別情報を有するタイムカードの印字に用いられるタイムレコーダーであって、
　上記カード識別情報を識別するカード識別手段と、
　出退勤情報を上記タイムカードに印字する印字手段と、
　上記カード識別情報と上記出退勤情報とを記録する記録手段と、
　制御手段とを備え、
　上記制御手段は、上記タイムカードが挿入された場合には、上記カード識別手段から伝達された上記カード識別情報と、上記記録手段に記録されているカード識別情報とを照会し、
　上記制御手段は、上記照会するカード識別情報が上記記録手段に記録されている場合には、このカード識別情報について直前に記録された出退勤情報を検出し、
　上記制御手段は、上記直前に記録された出退勤情報が入場情報の場合には、上記タイムカードにおいてこの入場情報の印字行と同一の行に退場情報を印字するように上記印字手段に指示し、上記直前に記録された出退勤情報が退場情報の場合には、上記タイムカードにおいてこの退場情報の印字行の次の行に入場情報を印字するように上記印字手段に指示し、上記退場情報が上記タイムカードの最終印字行に印字された場合には、引継ぎモードに移行し、上記タイムカードが排出された後に未使用のタイムカードが挿入された場合には、上記記録手段に記録してある上記排出されたタイムカードの出退勤情報をこの未使用のタイムカードのカード識別情報についての出退勤情報として更新する
　ことを特徴とするタイムレコーダ。
【請求項２】
請求項１において、上記制御手段は、上記引継ぎモードに移行後の所定の時間内に未使用のタイムカードが挿入された場合にのみ、上記記録手段に記録してある上記排出されたタイムカードの出退勤情報を、この未使用のタイムカードのカード識別情報に対する出退勤情報として更新することを特徴とするタイムレコーダ。
【請求項３】
請求項１において、手動によるカード識別情報の入力手段を備え、　上記制御手段は、上記退場情報が上記タイムカードの最終印字行に印字されてこのタイムカードが排出された後に、このタイムカードのカード識別情報が上記入力手段によって入力された場合には、このカード識別情報について記録された出退勤情報を上記記録手段から抽出し、未使用のタイムカードが挿入された場合には、上記抽出された出退勤情報を、この未使用のタイムカードのカード識別情報についての出退勤情報として更新することを特徴とするタイムレコーダ。
【請求項４】
請求項１において、手動による引継ぎモード切替手段を備え、
　上記制御手段は、上記退場情報が上記タイムカードの最終印字行に印字されてこのタイムカードが排出された後に、上記引継ぎモード切替手段により引継操作がされると共にこの排出されたタイムカードが挿入された場合には、このタイムカードのカード識別情報について記録された出退勤情報を上記記録手段から抽出し、未使用のタイムカードが挿入された場合には、上記抽出された出退勤情報を、この未使用のタイムカードのカード識別情報についての出退勤情報として更新することを特徴とするタイムレコーダ。
【請求項５】
請求項１〜４のいずれかの１において、警告手段を備え、
　上記制御手段は、上記退場情報が上記タイムカードの最終印字行に印字された場合には、上記警告手段を作動させるように指示することを特徴とするタイムレコーダ。
【請求項６】
請求項５において、
　上記制御手段は、上記退場情報が上記タイムカードの最終印字行に印字された後に、上記未使用のタイムカードの替わりに、上記記録手段に既にカード識別情報が記録されているタイムカードが挿入された場合には、上記出退勤情報を更新しないで上記警告手段を作動させるように指示することを特徴とするタイムレコーダ。
【請求項７】
カード識別情報を有するタイムカードの印字に用いられるタイムレコーダーであって、
　上記カード識別情報を識別するカード識別手段と、
　出退勤情報を上記タイムカードに印字する印字手段と、
　上記カード識別情報と上記出退勤情報とを記録する記録手段と、
　制御手段とを備え、
　上記制御手段は、上記タイムカードが挿入された場合には、上記カード識別手段から伝達された上記カード識別情報と、上記記録手段に記録されているカード識別情報とを照会し、
　上記制御手段は、上記照会するカード識別情報が上記記録手段に記録されている場合には、このカード識別情報について直前に記録された出退勤情報を検出し、
　上記制御手段は、上記直前に記録された出退勤情報が入場情報の場合には、上記タイムカードにおいてこの入場情報の印字行と同一の行に退場情報を印字するように上記印字手段に指示し、上記直前に記録された出退勤情報が退場情報の場合には、上記タイムカードにおいてこの退場情報の印字行の次の行に入場情報を印字するように上記印字手段に指示し、最終印字行に上記退場情報が印字された上記タイムカードが挿入された場合には、引継ぎモードに移行し、当該タイムカードを排出した後に未使用のタイムカードが挿入された場合に、上記記録手段に記録してある上記排出されたタイムカードの出退勤情報をこの未使用のタイムカードのカード識別情報についての出退勤情報として更新する
　ことを特徴とするタイムレコーダ。
【発明の詳細な説明】
【技術分野】
【０００１】
　従業員等の出退勤を管理するためのカード打刻式のタイムレコーダに関する。
【背景技術】
【０００２】
　従来では、従業員等の出退勤を管理するためのカード打刻式のタイムレコーダは、会社の就業体系に合わせた月締め、週締め、あるいは２週締め等の給与計算期間に基づき、専用のタイムカードを使用し、一給与計算期間当たり一枚のタイムカードで印字していた。この印字方式は、月締め用のタイムカードを例にすると、表１５行と裏１６行で合わせて３１行分の印字行を設け、一日一行とした日割りの出退勤時間等を印字していた。また、休日や休暇によって出退勤が無い場合には、空欄のままにされていた。
【０００３】
　このため、従来のタイムレコーダでは、出勤から退社までの途中の間に、何度か入退場を繰り返す場合には、特許文献１のように簡易に印字状態を変更して一日毎のそれぞれの入退場時間を印字するものや、特許文献２のように実働時間を再集計して修正された実働時間を印字するとともに前回までの実働時間を抹消するものも提案されている。
【特許文献１】特開２００２−１１８１０２
【特許文献２】特開２００２−３４２８０１
【発明の開示】
【発明が解決しようとする課題】
【０００４】
　しかし、特許文献１のように、入退場時間を日毎に一行ずつ印字する方法では、タイムカードの印字可能幅に制限されるため、一行に印字できる入場と退場の回数は、せいぜい２〜６回分が限度となる。また、特許文献２のようにそれぞれの入退場の間の実働時間を再集計して印字する場合にも、一行に印字できる入場と退場との回数は、制限され見にくくなってしまう。したがって、一行に印字できる入場と退場との回数を増加させるためには、印字サイズを小さくするか、あるいはタイムカードの幅自体を増加する必要がある。
【０００５】
　しかるに、印字サイズを小さくすると、目視での判読が困難となり、読み誤りも多くなる。またタイムカード自体の幅を増加すると、このタイムカードに印字するタイムレコーダのサイズが大きくなり、製造コストが増加し、より広い設置スペースが必要となるという問題がある。また、原則として空欄のままになる休日の行が無駄になり、給与計算期間の開始時期がそれぞれ異なるケースが多い場合には、それぞれのケース毎に、タイムカードを準備する必要もあった。
【０００６】
　そこで本発明の目的は、印字サイズを小さくしたり、あるいはタイムカード自体の幅を増加することなく、一日の入退場回数を制限しないで印字可能なタイムレコーダを提供することにある。
【課題を解決するための手段】
【０００７】
　上記課題を解決すべく、本発明によるタイムレコーダの第１の特徴は、タイムカードに付したカード識別情報の同一性を保持しながら、１組の入退場情報毎に印字する行を変えると共に、タイムカードの最終印字行に印字した後は、このタイムカードの出退勤情報を、新たなタイムカードに引き継ぐことができるように構成したことにある。
【０００８】
　すなわちこのタイムレコーダーは、カード識別情報を有するタイムカードの印字に用いられるものであって、カード識別情報を識別するカード識別手段と、出退勤情報をタイムカードに印字する印字手段と、カード識別情報と出退勤情報とを記録する記録手段と、制御手段とを備えている。この制御手段は、タイムカードが挿入された場合には、カード識別手段から伝達されたカード識別情報と、記録手段に記録されているカード識別情報とを照会し、この照会するカード識別情報が記録手段に記録されている場合には、このカード識別情報について直前に記録された出退勤情報を検出する。
【０００９】
　そして制御手段は、直前に記録された出退勤情報が入場情報の場合には、タイムカードにおいて、この入場情報の印字行と同一の行に退場情報を印字するように上記印字手段に指示する。一方制御手段は、直前に記録された出退勤情報が退場情報の場合には、タイムカードにおいて、この退場情報の印字行の次の行に入場情報を印字するように上記印字手段に指示する。また制御手段は、退場情報がタイムカードの最終印字行に印字された場合には、引継ぎモードに移行し、このタイムカードが排出された後に未使用のタイムカードが挿入された場合には、記録手段に記録してある排出されたタイムカードの出退勤情報を、この未使用のタイムカードのカード識別情報についての出退勤情報として更新する。
【００１０】
　このように発明を構成することにより、一日の内に入退場を何度行っても、その入退場時刻等の情報を印字することが可能になる。また、出退勤情報が新たなタイムカードに対して更新されるため、所定の期日毎の、勤務時間や早退、残業時間等を集計計算させて、印字することが可能になる。そして、同一人に対する出退勤情報の印字や集計は、タイムカードに付したカード識別情報毎に行われるために、各個人毎の識別情報を入力する必要がない。したがって、タイムカードの作成コストや、制御手段の情報処理手順を簡易にすることができる。なお、未使用のタイムカードには、タイムカードの裏面を使用する場合も含まれる。
【００１１】
　本発明によるタイムレコーダの第２の特徴は、上記特徴１に記載した制御手段は、引継ぎモードに移行後の所定の時間内に、未使用のタイムカードが挿入された場合にのみ、記録手段に記録してある排出されたタイムカードの出退勤情報を、この未使用のタイムカードのカード識別情報に対する出退勤情報として更新することにある。
【００１２】
　すなわち上記特徴１に記載したタイムレコードにおいては、引継ぎモードに移行した後で、たまたま別人が未使用のタイムカードを挿入してしまい、出退勤情報が別人に引き継がれてしまうこのがないとはいえない。特に、引継ぎモードに移行してから、未使用のタイムカードを挿入するまでの時間間隔が長いほど、その可能性は高くなる。したがって、引継ぎモードに移行した後の短時間の間に、未使用のタイムカードを挿入した場合に限り、同一人による操作として、引継ぎ処理を行うように構成したものである。なお、所定の時間以内に未使用のタイムカードが挿入されなかった場合には、引継ぎモードを解消し、後述するように再度引き継ぎ前のタイムカードを挿入したり、あるいは手動で引継ぎ前のカード識別情報を入力したりする手段を講じることによって、再度引継ぎモードに移行させることができる。
【００１３】
　本発明によるタイムレコーダの第３の特徴は、上記特徴１に記載したタイムレコーダは、手動によるカード識別情報の入力手段を備えていることにある。すなわち制御手段は、退場情報がタイムカードの最終印字行に印字されてこのタイムカードが排出された後に、このタイムカードのカード識別情報が入力手段によって入力された場合には、このカード識別情報について記録された出退勤情報を記録手段から抽出する。そして制御手段は、未使用のタイムカードが挿入された場合には、抽出された出退勤情報を、この未使用のタイムカードのカード識別情報についての出退勤情報として更新する。
【００１４】
　すなわち、出退勤情報の記録を更新するためには、更新前のカード識別情報について記録した出退勤情報を特定して、その出退勤情報を未使用のタイムカードのカード識別情報についての出退勤情報として記録し直すことが必要になる。上記特徴１〜２に記載したタイムレコーダでは、タイムカードの最終印字行に印字された場合に、自動的に引継ぎモードに移行することによって、このタイムカードのカード識別情報について記録された出退勤情報を、引継ぐべき情報として特定するものである。
【００１５】
　しかるに本発明においては、タイムカードの最終印字行に印字された場合には、引継ぎモードに移行せずに、別途手動によるカード識別情報の入力手段により、
更新前のカード識別情報を入力して、記録された更新前の出退勤情報を特定し、その出退勤情報を未使用のタイムカードのカード識別情報についての出退勤情報として記録し直すものである。したがって、タイムカードの最終印字行に印字されて排出された後に、例えば未使用のタイムカードが手元になくて、直ちに引き継ぎ処理ができずに長時間が経過してしまい、例えその間に別人が未使用のタイムカードを挿入した場合であっても、同一人が確実に引き継ぎ処理を行うことができる。
【００１６】
　本発明によるタイムレコーダの第４の特徴は、上記特徴１に記載したタイムレコーダは、手動による引継ぎモード切替手段を備えていることにある。すなわち制御手段は、退場情報がタイムカードの最終印字行に印字されて、このタイムカードが排出された後に、引継ぎモード切替手段により引継操作が開始されると共に、この排出されたタイムカードが挿入された場合には、このタイムカードのカード識別情報について記録された出退勤情報を記録手段から抽出する。そして制御手段は、未使用のタイムカードが挿入された場合には、抽出された出退勤情報を、この未使用のタイムカードのカード識別情報についての出退勤情報として更新する。
【００１７】
　すなわち本発明では、引継ぎモード切替手段により引継操作をすると、引継ぎモードに移行し、引継ぎ前のタイムカードを再挿入することで、そのカード識別情報について記録された引継ぎ前の出退勤情報を特定し、この特定した出退勤情報を、新たに挿入する未使用のタイムカードのカード識別情報に対応する出退勤情報として記録し直すものである。したがって、上述した場合と同様に、引継ぎ処理までに長時間が経過しても、同一人に対して確実に引き継ぎ処理を行うことができる。
【００１８】
　本発明によるタイムレコーダの第５の特徴は、上記特徴１〜４のいずれかの１に記載したタイムレコーダは、警告手段を備えていることにある。そして制御手段は、退場情報がタイムカードの最終印字行に印字された場合には、この警告手段を作動させるように指示する。
【００１９】
　したがって、退場情報がタイムカードの最終印字行に印字された場合には、そのタイムカードの使用者に、上述した引き継ぎ処理が必要となることを確実に知らせることができる。
【００２０】
　本発明によるタイムレコーダの第６の特徴は、上記特徴１〜４のいずれかの１に記載したタイムレコーダは、警告手段を備えていることにある。そして制御手段は、退場情報がタイムカードの最終印字行に印字された後に、未使用のタイムカードの替わりに、記録手段に既にカード識別情報が記録されているタイムカードが挿入された場合には、出退勤情報を更新しないで警告手段を作動させるように指示する。
【００２１】
　すなわち未使用のタイムカードの替わりに、誤って記録手段に既にカード識別情報が記録されているタイムカードが挿入される場合もありうる。この場合は、新たな未使用のタイムカードに、出退勤情報の引継ぎを行うことができなくなる。したがって、このように発明を構成することによって、使用済みタイムカードに出退勤情報の引継ぎが行われることを防止できる。
【００２２】
　本発明によるタイムレコーダの第７の特徴は、最終印字行に上記退場情報が印字されているタイムカードが挿入され、このカードが記録手段に登録されている場合に、自動的に引継ぎモードに移行することにある。すなわち制御手段は、タイムカードが挿入された場合に、カード識別手段から伝達された上記カード識別情報と、記録手段に記録されているカード識別情報とを照会し、照会するカード識別情報が記録手段に記録されている場合には、このカード識別情報について直前に記録された出退勤情報を検出し、タイムカードの最終印字行に退場情報が印字されている場合には、引継ぎモードに移行し、タイムカードが排出された後に未使用のタイムカードが挿入された場合には、記録手段に記録してある排出されたタイムカードの出退勤情報をこの未使用のタイムカードのカード識別情報についての出退勤情報として更新する。
【００２３】
　すなわち本発明では、最終印字行に上記退場情報が印字された引継ぎ前のタイムカードを再挿入することで、そのカード識別情報が記録手段に登録されたものかを確認し、そのカード識別情報について記録された引継ぎ前の出退勤情報を特定し、この特定した出退勤情報を、新たに挿入する未使用のタイムカードのカード識別情報に対応する出退勤情報として記録し直すものである。したがって、手動の切換操作を必要とせず、第３及び第４の特徴の場合と同様に、引継ぎ処理までに長時間が経過しても、同一人に対して確実に引き継ぎ処理を行うことができる。
【発明の効果】
【００２４】
　第１に、入退場時情報の１組毎に、印字行を代えて順次印字することによって、タイムカードの幅を広げることなく、一日の内に入退場を何度行っても、その入退場情報を印字することが可能になる。また、第２に、出退勤情報が新たなタイムカードに対して更新されるため、所定の期日毎の、勤務時間や早退、残業時間等を集計計算させて印字することが可能になる。第３に、休日行を設けることなく印字できるので、印字スペースが無駄にならない。
【００２５】
　第４に、同一人に対する出退勤情報の印字や集計は、タイムカードに付したカード識別情報毎に行われるために、各個人毎の識別情報を入力する必要がない。したがって、タイムカードの作成コストや、制御手段の情報処理手順を簡易にすることができる。第５に、手動によって引継ぎ処理を開始できるため、直ちに引き継ぎ処理ができずに長時間が経過した後でも、同一人が確実に引き継ぎ処理を行うことができる。
【００２６】
　第６に、退場情報がタイムカードの最終印字行に印字された場合には、警告手段によって、そのタイムカードの使用者に、引き継ぎ処理が必要となることを確実に知らせることができる。第７に、引継ぎ操作等において、誤ったタイムカードが挿入された場合には、警告手段によって、そのタイムカードの使用者に、その旨を知らせることができる。第８に、使用済みタイムカードを再挿入するだけで引継ぎ処理を開始できるため、直ちに引き継ぎ処理ができずに長時間が経過した後でも、手動操作を必要とせずに同一人が確実に引き継ぎ処理を行うことができる。
【発明を実施するための最良の形態】
【００２７】
　本発明によるタイムレコーダは、カード識別情報１ａを有するタイムカード１に用いられものであって、このカード識別情報を識別するカード識別手段２ａ、２ｂと、出退勤情報をこのタイムカードに印字する印字手段３と、このカード識別情報とこの出退勤情報とを記録する記録手段４と、制御手段５とを備えている。
【００２８】
　先ず最初に図１を参照しつつ、本発明によるタイムレコーダに使用するタイムカード１を説明する。タイムカード１は、縦長の厚紙からなり、下部左側部にカード識別情報であるバーコード１ａが、このタイムカード毎に付されている。また上部位置には、氏名（NAME）、所属部門（DEPT）、給与計算期間の末日（PAY PERIOD ENDING）等の手書きあるいはタイプ欄１ｃが設けてある。そして中央部には、入退場時刻等の出退勤情報の印字欄１ｂが記載されている。
【００２９】
　すなわち左端には、入場時期としてアルファベットの頭文字からなる月名と、横書きである日付と、入場時刻及び午前（A）、午後（P）の区別の印字欄が設けてある。そして退場時期、実働時間、累積時間および備考（TASK）の印字欄が、順次設けてある。なお、月名は、タイムカード１の初段に印字する場合と、途中で月が変わる場合にのみ印字し、印字が煩雑になるのを防止している。そして入場と退場との一セット毎に、順次段を変更して印字するようにしてある。
【００３０】
　次に図２を参照しつつ、印字手段３の構成について説明する。印字手段３は、いわゆる上述したタイムカード１に、出退勤情報を印字するプリンターであって、上端部にはこのタイムカードを挿入するカード口３１を備えており、このタイムカードの左右方向位置を決めている。そしてカード口３１の下方位置には、挿入されたタイムカード１の先端部で押上げられると作動する、カード検出スイッチ３２を有している。カード検出スイッチ３２の下方位置には、ローラ軸３３が設けてあり、このローラ軸に設けた一対のゴム製のピンチローラ３３ａ、３３ｂの回転によって、タイムカード１を下方に吸引する。ローラ軸３３の下方位置には、タイムカード１に印字する印字ヘッド３４を有しており、この印字ヘッドに対向して、印字の受け台であるプラテン３４ａが設けてある。
【００３１】
　印字ヘッド３４は、キャリア３４ｂに支持されており、このキャリアは、リードスクリュー３５によって、水平方向に移動する。すなわちリードスクリュー３５の外周上には、溝３５ａ、３５ｂが螺旋状に形成してあり、この溝にキャリア３４ｂに設けた爪が係合している。したがって、リードスクリュー３５が回転することによって、キャリア３４ｂが水平方向に移動する。なお溝３５ａは、キャリア３４ｂを図中右方向に移動させるものであり、この溝と螺旋のピッチが逆方向であってピッチ間隔が広い溝３５ｂとつながっていて、リードスクリュー３５を逆回転させることなく、素早くこのキャリアを図中左方向に戻す。
【００３２】
　ローラ軸３３とリードスクリュー３５とは、それぞれ正逆回転可能なカード送りモーター３６ａと、キャリア駆動モーター３６ｂによって、減速歯車機構３７ａ、３７ｂを介して回転駆動される。なお減速歯車機構３７ａ、３７ｂには、それぞれ同一円周上に同一間隔で多数の貫通孔を設けた回転板３７ｃ、３７ｄを備えており、光センサ３７ｅ、３７ｆによって回転通過する貫通孔数を計測し、カード送りモーター３６ａと、キャリア駆動モーター３６ｂとの回転角度を検出する。
【００３３】
　印字手段３の下部位置には、カード識別手段２として、スキャニングセンサからなる左右一対のバーコード読取センサ２ａ、２ｂが設けてあり、タイムカード１の下部位置の１側端部に印したバーコード１ａを読取る。なお図中右側に設けたバーコード読取センサ２ｂは、タイムカード１の裏面を使用する場合に、表裏が逆になったバーコード１ａを読取るものであり、図中左側に設けたバーコード読取センサ２ａとは、正面からみて表裏が逆になるように設置してある。印字手段３の最下部位置には、カードセンサ３８を備えており、タイムカード１の先端を検出すると、カード送りモーター３６ａを停止させ、このタイムカードの吸引動作を停止させる。なお、印字手段３には、使用者に現在の時を示す時刻等の表示手段（図示せず。）が設けてある。なお、図示していないが、印字手段３には、後述するカード識別情報１ａの手動による入力手段である押しボタンスイッチと、手動による引継ぎモード切替手段であるスイッチと、誤操作等を警告音で知らせる警告手段とを備えている。なお、表示手段と入力手段とを兼用したタッチパネルを用いることも可能である。
【００３４】
　次に印字手段３の作用について説明する。タイムカード１がカード口３１から挿入されると、このタイムカードの先端がカード検出スイッチ３２をオンにして、カード送りモーター３６ａを回転させる。そしてローラー軸３３が駆動され、タイムカードを吸入し、その先端を印字手段３の底部に設けたカードセンサー３８が検出すると、カード送りモーター３６ａを停止し、このタイムカードはその位置において停止する。
【００３５】
　一方タイムカード１が吸入される途中に、バーコード読取センサー２ａによって、このタイムカードに印されたバーコード１ａが読み取られ、このタイムカードが識別される。次にカード送りモーター３６ａが逆回転し、これに駆動されるローラー軸３３がタイムカード１を引き上げ、印字ヘッド３４が所定の印字行の印字できる位置に、このタイムカードを停止させる。なお、この印字位置の制御は、制御手段４からの指示に基づいて行われる。
【００３６】
　すなわち、タイムカード１が未使用の場合には、このタイムカードは、先頭印字行に印字できるように引き上げられる。一方タイムカード１を継続使用する場合には、所定の中間段等に印字できる位置に引き上げられる。この引き上げ位置は、光センサー３７ｅが計測する、カード送りモーター３６ａと連動する回転板３７ｃの貫通孔の通過回数に基づき決定される。
【００３７】
　次に、キャリア駆動モーター３６ｂが回転し、これに駆動されるリードスクリュー３５が、タイムカード１の所定の水平方向位置に印字できるよう、印字ヘッド３４を水平移動させる。なお、この水平方向位置の制御は、制御手段４からの指示に基づいて行われる。すなわち、入場月、曜日及び時刻等の入場時期、または退場時期、実働時間若しくは累積時間等を印字する場合には、まず最初に、それぞれの印字開始位置に印字ヘッド３４が移動し、一字印字する毎に、一字分のスペースだけこの印字ヘッドを水平移動させる。各印字データの記載欄が、タイムカード１に設けてある場合には、それぞれの記載欄の先頭位置に、印字ヘッド３４が移動する。この印字ヘッド３４の水平位置は、光センサー３７ｆが計測する、キャリア駆動モーター３６ｂと連動する回転板３７ｄの貫通孔の通過回数に基づき決定される。
【００３８】
　そして印字が終了したり、後述するように誤ったタイムカード１が挿入された場合には、制御手段４からの指示に基づき、カード送りモーター３６ａが回転し、カード検出スイッチ３２がオフ位置になるまで、このタイムカードを引き上げて、印字動作等を終了する。
【００３９】
　なお、タイムカード１のバーコード１ａの読取は、このタイムカードを吸入した後に、バーコード読取センサー２ａ、２ｂを上下移動させ、このバーコードをスキャニングさせて読取るようにすることも容易にできる。またバーコード１ａの替わりに、パンチ孔や磁気ストライブを設けて、タイムカード１を識別することも容易にできる。
【００４０】
　さて制御手段４は、マイクロコンピュータを備え、タイムカード１が、カード検出スイッチ３２をオンにした時を基準とする入退場情報や印字位置等を、印字手段３に指示すると共に、記録手段５に記録したり、この記録手段から必要な情報を抽出する。そして入退場情報と、記録手段５に記録した情報とによって、実働時間や累積時間を演算処理する。また、バーコード読取りセンサー２ａで読取ったタイムカード１のカード識別情報１ａを、記録手段５に記録、抽出あるいは照会等を行う。
【００４１】
　次に図３〜図６を参照しつつ、制御手段３による情報処理を詳述する。まず図３において、タイムカード１が印字手段３に挿入されると（Ａ）、カード検出スイッチ３２が作動し（Ｂ）、制御手段４は、この印字手段にこのタイムカードの吸入を指示する（Ｃ）。タイムカード１が吸入されるとカード識別手段２によって、このタイムカードに付されたバーコードによるカード識別情報１ａが読み取られ（Ｄ）、制御手段４は、そのカード識別情報が記録手段５にすでに記録されているかを確認する（Ｅ）。
【００４２】
　カード識別情報１ａが記録されていない場合には、制御手段４は、給与計算期間の第１日目の最初の入場情報と判断し、印字手段２にタイムカード１の先頭印字行の入場情報印字欄に入場情報を印字して、印字後に排出するように指示し、この印字手段はその指示を実行する（Ｆ）。なお図示していないが、制御手段４は、そのカード識別情報と、印字した印字行とを記録手段５に記録する。一方カード識別情報１ａが記録されている場合には、制御手段４は、そのカード識別情報についての直前の入力情報を、記録手段５に照会する（Ｇ）。そして直前の入力情報が退場情報であった場合には、制御手段４は、タイムカード１に印字できる印字行が残余しているか否か、すなわち最終印字行にすでに印字がされてしまっているか否かを、記録情報５に記録されている印字済み行から確認する（Ｈ）。
そして印字行が残余していない場合には、制御手段４は、使用済みタイムカード１として排出し、その旨を知らせて引継ぎモードに移行するために警告音を発するように指示し、印字手段３と警告手段はその指示を実行する（Ｉ）。なお、引継ぎモードの処理は後述する。一方印字行が残余している場合には、制御手段４は、タイムカード１において次の印字行に入場情報を印字して、排出するように指示し、印字手段３はその指示を実行する（Ｊ）。一方直前の入力情報が入場情報であった場合には（Ｇ）、制御手段４は、タイムカード１に残余している印字行が最終印字行であるか否かを、記録情報５に記録されている印字済み行から確認する（Ｋ）。
【００４３】
　そして、タイムカード１に残余している印字行が最終印字行でない場合には、制御手段４は、直前の入場情報と同一行に退場情報を印字し、排出するように指示し、印字手段３は、その指示を実行する（Ｌ）。なお図示していないが、制御手段４は、直前の入場情報と退場情報とから、その間の実働時間を計算して、同一行の実働時間印字欄に印字すると共に、その時間を累積時間に加算して記録手段５に記録するように指示する。一方タイムカード１に残余している印字行が最終印字行である場合、すなわちこの行に退場情報を印字した後は、このタイムカードに次回以降印字できなくなる場合には、制御手段４は、図４〜図６に示す、引継ぎ処理に移行する。したがって、タイムカード１の残余印字行が１行になるまで、日々毎の入退場情報とその間の実働時間とが、入退場情報の１組毎に行を代えて順次印字される。
【００４４】
　図４は、自動的に引継ぎモードに移行する場合を示している。これには２つの場合があり、１つは図（Ｋ）のように最終印字行に退場情報を印字した場合で、もう１つは前述の図３（Ｈ）のように最終印字行まで印字された使用済みのタイムカード１を挿入した場合である。すなわち、前者では、制御手段４は、直前の印字行と同一の印字行に退場情報を印字して、タイムカード１を排出し、さらに引継ぎモードに移行する旨を知らせる警告音を発するように指示し、印字手段３と警告手段とは、その指示を実行する（Ｍ）。そして制御手段４は、警告音と共に引継ぎモードに移行し、この警告音からの経過時間の計測を開始する（Ｎ）。また後者では、制御手段４は、使用済みタイムカード１の挿入によって引継ぎモードに移行する旨を知らせる警告音を発するように指示し、印字手段３と警告手段とは、その指示を実行する（Ｉ）。そして制御手段４は、警告音と共に引継ぎモードに移行し、この警告音からの経過時間の計測を開始する（Ｉ１）。なお引継ぎモードに移行するとは、次に未使用のタイムカード１が挿入された場合には、新たな給与計算期間の開始ではなく、上述した図３の（Ｅ）〜（Ｆ）のように、同じ給与計算期間内で、出退勤情報を継続して印字、記録、処理するものとして取り扱うことを意味する。
【００４５】
　さて警告音によって引継ぎ処理が必要であることを知った利用者が、新たなタイムカード１を挿入すると（Ｏ）、上述した図３の（Ｂ）〜（Ｅ）と同様の手順により、制御手段４は、この新たなタイムカードのカード識別情報１ａが、すでに記録手段に記録されているか否かを確認する（Ｐ）。そして新たなタイムカード１のカード識別情報１ａが、すでに記録されている場合には、そのタイムカードは、使用済みのもの、あるいは使用中の他人のものであるため、制御手段４は、そのタイムカードを排出すると共に、誤操作である旨を知らせるべく警告音を発するように指示し、印字手段と警告手段は、その指示を実行する（Ｑ）。
【００４６】
　一方新たなタイムカード１のカード識別情報１ａが、記録されていない場合、すなわち未使用の場合、あるいは裏面を新たに使用する場合には、制御手段４は、上述した経過時間が、所定の時間、例えば１０秒以内か否かを確認する（Ｒ）。そして新たなタイムカード１の挿入が、所定の時間以内である場合には、制御手段４は、記録手段５に記録されている引継ぎ前のカード識別情報１ａに対応する出退勤情報を、この新たなタイムカードのカード識別情報１ａに対応する出退勤情報として更新する（Ｓ）と共に、この新たなタイムカードを排出するように指示し、印字手段３は、その指示を実行する（Ｔ）。なお、使用済みタイムカード１の挿入によって引継ぎモードに移行した場合は、新たなタイムカードの先頭印字行に入場情報を印字後排出するように印字手段３に指示し、印字手段３はその指示を実行する(図示なし)。
【００４７】
　一方新たなタイムカード１の挿入（Ｏ）が、所定時間の経過後になされた場合には、制御手段４は引継ぎモードを解消する（Ｕ）。すなわち、引継ぎモードを、長時間継続させると、その間に別人が、たまたま新たなタイムカード１を挿入することがないとはいえない。例えば、当人がタイムレコーダの設置場所を、一旦離れた場合が該当する。一方引継ぎモードの継続時間を短くすれば、その間に本人以外の別人が、新たなタイムカード１を挿入することはまずあり得ない。したがって、このような誤操作を防止するために、短時間の引継ぎモードの継続時間を経過した場合には、引継ぎモードを解消するようにしている。
【００４８】
　したがって、引継ぎモード解消後に、新たなタイムカード１の挿入（Ｏ）があった場合には、図３の（Ｆ）に示すように、別人が新たな給与計算期間の第１日の入力を行ったものとして処理される。一方同一人が、再度引継ぎ処理を行う場合には、以下に説明する図５（Ｖ）または図６（ＡＣ）からの処理に続く。また、前述の、使用済みタイムカードの挿入によって引継ぎモードに移行しても良い。
【００４９】
　さて図５は、手動によって、最終印字行を印字し終わった引継ぎ前のタイムカード１のカード識別情報１ａを入力することによって、引継ぎ処理を行う場合を示している。例えば、タイムレコーダに設けた押しボタンスイッチの数字を押して、カード識別情報１ａの数字等を入力する（Ｖ）。このようしてカード識別情報１ａが入力されると、制御手段４は、引継ぎモードに移行して、このカード識別情報に対応する引継ぎ前の出退勤情報を、記録手段５から抽出すると共に、タイムレコーダ中にタイムカード１が挿入されていれば、引継ぎ前のタイムカード１を排出するように指示する（Ｗ）。
【００５０】
　そして次に、新たなタイムカード１が挿入された場合には（Ｘ）、制御手段４は上述したものと同様に、カード識別情報１ａがすでに記録手段５に記録されているか否かを確認し（Ｙ）、記録済みの場合、すなわちこのタイムカードが使用済みのもの、あるいは他人の使用中のものである場合には、誤操作として、このタイムカードを排出すると共に、その旨を知らせる警告音を発するように指示し、印字手段３と警告手段とは、その指示を実行する（Ｚ）。
【００５１】
　一方新たなタイムカード１のカード識別情報１ａが、記録手段５に記録されていない場合、すなわち未使用のものの場合には、制御手段４は、手順（Ｗ）で抽出した引継ぎ前のカード識別情報１ａに対応する出退勤情報を、この新たなタイムカードのカード識別情報の出退勤情報として更新し、記録手段５に記録する（ＡＡ）と共に、この新たなタイムカードを排出するように指示し、印字手段３は、その指示を実行する（ＡＢ）。したがってこれ以降は、この新たなタイムカード１のカード識別情報１ａに対して、図３に示すような出退勤情報の管理がされる。
【００５２】
　図６は、手動によって引継ぎモードに移行させる場合を示している。すなわち最終印字行を印字し終わった引継ぎ前のタイムカードを排出（Ｍ）した後に，引継ぎモード切替スイッチが手動操作されると（ＡＣ）、制御手段４は、引継ぎモードに移行する（ＡＤ）。ところで、新たなタイムカード１に出退勤情報を引き継ぐためには、引き継ぐべき引継ぎ前の出退勤情報を特定しなければならない。そこで図６に示す引継ぎ手順では、まず最終行に印字をし終わった引継ぎ前のタイムカードを再度挿入することによって、引き継ぐべき出退勤情報を特定している。すなわち新たなタイムカード１が挿入されると（ＡＥ）、制御手段４は、上述した手順と同様にして、そのタイムカードのカード識別情報１ａが、すでに記録されているものか否かを確認する（ＡＦ）。
【００５３】
　これは、次のステップで行うべき抽出処理に対し未使用のタイムカード１が、誤って挿入された場合を排除するためである。すなわち未使用のタイムカード１が挿入された場合には、カード識別情報１ａが記録手段５に記録されていないため、制御手段４は、そのタイムカードの排出と、誤操作を知らせる警告音を発することを指示し、印字手段３と警告手段とは、その指示を実行する（ＡＧ）。一方、最終行に印字をし終わった引継ぎ前のタイムカード１が挿入されると、制御手段４は、このタイムカードのカード識別情報１ａに対応する、引継ぎ前の出退勤情報を、記録手段５から抽出する（ＡＨ）。
【００５４】
　そして、図示していないが、この引継ぎ前のタイムカード１が排出された後に、新たなタイムカード１が挿入されると（ＡＩ）、上述した手順と同様にして、制御手段４は、そのタイムカードのカード識別情報１ａが、すでに記録されているか否かを確認する（ＡＪ）。これは、新たなタイムカード１として、すでに使用済みのものや、他人の使用中のものを誤って挿入した場合を排除するものであって、このようなときには、制御手段４の指示によって、印字手段３は、誤って挿入されたタイムカード１を排出する一方、警告手段は、その旨を知らせるために警告音を発生する（ＡＫ）。
【００５５】
　一方未使用のタイムカード１が挿入されると（ＡＩ）、制御手段４は、ステップ（ＡＨ）で抽出した引継ぎ前の出退勤情報を、この未使用のタイムカードのカード識別情報１ａに対応する出退勤情報として更新し、記録手段５に記録する（ＡＬ）。また制御手段４の指示によって、印字手段３は、未使用のタイムカード１を排出する（ＡＭ）。したがってこれ以降は、この新たなタイムカード１のカード識別情報１ａに対して、図３に示すような出退勤情報の管理がされる。
【００５６】
　なお、退場情報を印字する際に、同一行に実働時間を集計したトータル時間を印字するように構成することも容易にできる。また従来技術を利用して、欠勤や遅刻や早退時間、早出や残業時間や休日出勤時間、深夜勤務時間等を、例えば印字色を変えて印字するように構成することも容易にできる。また、タイムカード上部に設けた、氏名（NAME）、所属部門（DEPT）、給与計算期間の末日（PAY PERIOD ENDING）等の手書きあるいはタイプ欄には、新しいタイムカードの更新時に記録手段に記録した情報を印字手段によって印字する構成とすれば、別途手書きやタイプをする手間が不要となる。
【図面の簡単な説明】
【００５７】
【図１】タイムカードの印字例である。
【図２】印字手段の概略構成図である。
【図３】タイムレコーダの情報処理の流れを示す流れ図である。
【図４】引継ぎ処理の情報処理の流れを示す流れ図である。
【図５】引継ぎ処理の情報処理の流れを示す他の流れ図である。
【図６】引継ぎ処理の情報処理の流れを示す他の流れ図である。
【符号の説明】
【００５８】
　　　　１　　　　　　　　タイムカード
　　　　１ａ　　　　　　　バーコード（カード識別情報）
　　　　２ａ、２ｂ　　　　カード識別手段
　　　　３　　　　　　　　印字手段
　　　　４　　　　　　　　制御手段
　　　　５　　　　　　　　記録手段
【図１】
2004110794.tif 000003
【図２】
2004110794.tif 000004
【図３】
2004110794.tif 000005
【図４】
2004110794.tif 000006
【図５】
2004110794.tif 000007
【図６】
2004110794.tif 000008